(57)【特許請求の範囲】
【請求項１】
本体部（６５）を有し、該本体部（６５）は別個の第一および第二の端部（６３、６４）を有するハウジング（６２）と、
該ハウジング（６２）の内側中空部に配置される回路基板（７０）であって、ケーブル装置（８０）および電子装置とそれぞれ接合する第一および第二の接合端縁部（７１、７２）を有しており、第一および第二の接合端縁部（７１、７２）のそれぞれが前記第一および第二の端部（６３、６４）で予め設定された距離で前記本体部（６５）を超えて延びるように前記本体部（６５）よりも長い長さを有する回路基板（７０）で構成され、
前記ハウジング（６２）は、第一の端部（６３）に配置された延長部（１１０、１１０ａ、１１０ｂ、２０７）を有し、該延長部（１１０、１１０ａ、１１０ｂ、２０７）は、前記回路基板（７０）の第一の接合端縁部（７１）の少なくとも一部分を包囲して、前記ケーブル装置（８０）のケーブルプラグ（８３）が収容可能な中空内側部（１１９）を規定していると共に、
前記第一の接合端縁部（７１）に端縁（７５）まで延びるスロット（７７）が形成され、該スロット（７７）が第一の接合端縁部（７１）を前記中空内側部（１１９）へ配置する際のガイドを成し、かつ、中空内側部（１１９）へ前記ケーブルプラグ（８３）を収容する際の案内を成すようにしたことを特徴とするインタフェースコネクタ。
【請求項２】
前記中空内側部（１１９）は、前記ケーブルプラグ（８３）を収容できるように寸法決めされ、さらに、該中空内側部（１１９）と連通し前記ケーブルプラグ（８３）のラッチ部材（８６）を収容できるように寸法決めされた通路（１２０、２０９）を有し、該通路（１２０、２０９）は前記ラッチ部材（８６）により係合される前記ハウジング（６２）の第一の端部（６３）と対向する端縁（１２５）を有することを特徴とする請求項１に記載のインタフェースコネクタ。
【請求項３】
前記延長部（１１０ａ）を前記ハウジング（６２）と一体に形成することを特徴とする請求項１に記載のインタフェースコネクタ。
【請求項４】
前記延長部（１１０）は、前記ハウジング（６２）に取り付けられる別体の延長アダプタ部（１１０）で構成することを特徴とする請求項１に記載のインタフェースコネクタ。
【請求項５】
前記延長部（１１０ａ、１１０ｂ）は、第一および第二の面を有する中空本体部を有し、前記第一の面が、前記回路基板（７０）の第一の接合端縁部（７１）が前記第一の面を超えて突出しないように前記回路基板（７０）の第一の接合端縁部（７１）と整列することを特徴とする請求項４に記載のインタフェースコネクタ。
【請求項６】
前記延長アダプタ部（１１０）は、前記回路基板（７０）の第一の接合端縁部（７１）に近接して前記回路基板（７０）を収容するように形成された水平スロット（１１４）を有し、さらに、前記回路基板（７０）を前記水平スロット（１１４）内に挿入した時に前記回路基板（７０）の第一の接合端縁部（７１）のスロット（７７）内に収容される垂直ポスト部材（１３０）を有することを特徴とする請求項４に記載のインタフェースコネクタ。
【請求項７】
前記ハウジング（６２）は、両側に沿って延びる一対のリテーナアーム部材（６７）を有し、該リテーナアーム部材（６７）は前記ハウジング（６２）に近接して配置される自由端（６８）を有し、該自由端（６８）は、支持枠組みとの係合および係合解除方向に前記自由端を移動させるようにユーザが操作可能であることを特徴とする請求項１に記載のインタフェースコネクタ。
【請求項８】
前記延長部（１１０、１１０ａ、１１０ｂ、２０７）は、前記回路基板（７０）の第一の接合端縁部（７１）に電磁干渉シールドを設けるために、金属部分を有することを特徴とする請求項１に記載のインタフェースコネクタ。
【請求項９】
前記回路基板の第一の接合端縁部は、前記第一の接合端縁部から前記回路基板内に長手方向に延びるように形成された複数のスロット（２０４）を有し、該スロット（２０４）は前記回路基板の第一の接合端縁部の複数の個々の接合部を規定し、前記延長部（２０７）は少なくとも一部分が前記個々の接合部を包囲し、さらにともに連関された複数の開口部を有し、各該開口部は相手方コネクタをそこに収容できるように寸法決めされていることを特徴とする請求項１に記載のインタフェースコネクタ。
【請求項１０】
別個の第一および第二の端部（６３、６４）を有するハウジング（６２）と、第一および第二の接合端縁部（７１、７２）を有し、各該第一および第二の接合端縁部（７１、７２）がその上に少なくとも一つの回路パッド（７９）を有する回路基板（７０）で構成され、
前記ハウジング（６２）は、前記第一および第二の端部（６３、６４）間で予め設定された第一の長さを有し、前記回路基板（７０）は、前記第一および第二の接合端縁部（７１、７２）間で予め設定された第二の長さを有し、前記回路基板（７０）は前記ハウジング（６２）内に収容されて、前記回路基板（７０）の第一および第二の接合端縁部（７１、７２）は、前記第一および第二の端部（６３、６４）と対向する相手方コネクタによって係合可能なように前記ハウジング（６２）の第一および第二の端部（６３、６４）を超えて延びていると共に、
前記回路基板（７０）の第一の接合端縁部（７１）に端縁（７５）まで延びるスロット（７７）が形成され、該スロット（７７）が第一の接合端縁部（７１）の配置のためのガイドを成し、かつ、前記相手方コネクタの係合の案内を成すようにしたことを特徴とする、二つの対向するコネクタ間で接続を行うインタフェースコネクタ。
【請求項１１】
前記ハウジング（６２）の第一の端部（６３）に配置される延長部（１１０、１１０ａ、１１０ｂ、２０７）を有し、該延長部（１１０、１１０ａ、１１０ｂ、２０７）は前記回路基板（７０）の第一の接合端縁部（７１）を包囲し、さらにそこに延びる中空内側部（１１９）を有し、該中空内側部（１１９）も前記回路基板（７０）の第一の接合端縁部（７１）を包囲して相手方コネクタを収容する収容部を規定することを特徴とする請求項１０に記載のインタフェースコネクタ。
【請求項１２】
前記収容部は、相手方コネクタのラッチ部材に係合する手段を有することを特徴とする請求項１１に記載のインタフェースコネクタ。
【請求項１３】
前記ラッチ部材に係合する手段は、前記延長部（１１０、１１０ａ、１１０ｂ、２０７）を貫通して延び、前記収容部と連通するラッチ開口部から成ることを特徴とする請求項１２に記載のインタフェースコネクタ。
【請求項１４】
前記延長部（１１０ａ）を前記ハウジング（６２）と一体に形成することを特徴とする請求項１１に記載のインタフェースコネクタ。
【請求項１５】
前記延長部（１１０、１１０ｂ、２０７）は、前記ハウジング（６２）とは別体であって、前記ハウジング（６２）の第一の端部（６３）に沿って取り付けられることを特徴とする請求項１１に記載のインタフェースコネクタ。
【請求項１６】
前記回路基板（７０）を前記ハウジング（６２）内で方向決めして支持するベース部材（１１１）を有し、さらに前記回路基板（７０）を前記ハウジング（６２）の第一の端部（６３）に対して予め設定された位置に配置するポスト（１３０）を有し、前記回路基板（７０）のスロット（７７）は前記ポスト（１３０）に係合することを特徴とする請求項１０に記載のインタフェースコネクタ。
【請求項１７】
前記回路基板（７０）の第一の接合端縁部（７１）は、傾斜した端縁（７５）を有することを特徴とする請求項１６に記載のインタフェースコネクタ。
【請求項１８】
前記ハウジング（６２）は、ハウジング（６２）に沿って長手方向に延びる一対のリテーナアーム部材（６７）を有し、該リテーナアーム部材（６７）は支持枠組みに係合可能であって、さらに係合および非係合位置間で操作可能であることを特徴とする請求項１０に記載のインタフェースコネクタ。
【請求項１９】
所定長さの本体部（６５）を有するハウジング（６２）であって、前記本体部（６５）は対向する第一および第二の端部（６３、６４）を有し、該第一および第二の端部（６３、６４）はそこに配置される各第一および第二の開口部を有するハウジング（６２）と、前記本体部（６５）の長さ方向で延びる回路基板（７０）であって、第一および第二の対向する相手方コネクタと接合するためにそれぞれが前記第一および第二の開口部を貫通して、予め設定された第一および第二の範囲で前記第一および第二の端部（６３、６４）を超えて延びる第一および第二の接合端縁部（７１、７２）を有し、そこに形成されるスロット（７７、２０４）を有し、該スロット（７７、２０４）は前記本体部（６５）の第一の端部（６３）に近接して配置される対向するポスト部材（１３０）に係合し、該ポスト部材（１３０）により前記回路基板（７０）の第一の接合端縁部（７１）が前記本体部（６５）の第一の端部（６３）を超えて突出する範囲が固定され、そして、スロット（７７、２０４）が相手方コネクタの係合の案内も成すようにした回路基板で構成されるコネクタ。
【請求項２０】
前記ハウジング（６２）は、前記回路基板（７０）の第一の接合端縁部（７１）が突出する中空内側部（１１９）を有する延長部（１１０、１１０ａ、１１０ｂ、２０７）を有し、該延長部（１１０、１１０ａ、１１０ｂ、２０７）と前記中空内側部（１１９）が第一の相手方コネクタを収容する収容部を規定することを特徴とする請求項１９に記載のコネクタ。
【請求項２１】
前記延長部（１１０、１１０ａ、１１０ｂ、２０７）は、前記第一の相手方コネクタのラッチ部材（８６）に係合する手段を有することを特徴とする請求項２０に記載のコネクタ。
【発明の詳細な説明】
【０００１】
【発明の属する技術分野】
この発明は高速コネクタに係り、特に高速ケーブル装置と他の電子装置との間で接続を行うインタフェースコネクタに関するものである。
【０００２】
【従来の技術】
電子装置と高速ケーブル装置との間に電気的信号を転送するレシーバおよびトランシーバモジュールを設けるために使用されるインタフェースコネクタは、多くのものが公知となっている。このようなレシーバおよびトランシーバモジュールは従来のインタフェースコネクタであるか、または任意のデータ転送手段とともに利用される構成とすることができる。このようなレシーバおよびトランシーバモジュールは、任意信号を電子信号に変換する変換手段を有しているか、または電気信号一括搬送手段を有している構成とすることができる。
【０００３】
従来、これらの公知なレシーバおよびトランシーバモジュールおよびインタフェースコネクタは、種々の回路部品を含む内部回路基板を有している。回路基板の一端部はコネクタ本体部から突出するが、回路基板の他端部はコネクタ本体部の内側にある構成とすることができる。導線が回路基板の一端部および他端部に接続され、導線はピン、ブレードまたは他の形式の端子に接続される。これらの接続には手作業が必要であり、インタフェースコネクタのコストを増大させている。導線が接続される接合界面を保護するために、別体のシールドをインタフェースコネクタに取り付けなければならない。従って、このような接続は付加的な要素を必要とするものでもある。
【０００４】
【発明が解決しようとする課題】
本発明は、上述した従来のインタフェースコネクタよりも安価で製造され、また上述した不利点を克服する、高速転送用途のための改良されたインタフェースコネクタに関するものである。
従って、本発明の主な目的は、高速転送用途のための改良されたインタフェースコネクタを提供することにある。
【０００５】
本発明のもう一つの目的は、両端部に改良された接続構造を有するギガビットインタフェースコネクタを提供することにある。インタフェースコネクタは、ハウジングと、二つの対向する接合端縁部を有するハウジングに配置される回路基板で構成され、回路基板はハウジングよりも長い長さを有し、二つの別個の接合端縁部を設けられてハウジングを貫通して突出している。
【０００６】
本発明のさらにもう一つの目的は、高速ケーブル装置を電子装置とともに接続するインタフェースコネクタを提供することにある。インタフェースコネクタは、二つの対向する端部を有する細長いハウジングと、ハウジングを貫通して長手方向に延びる回路基板で構成され、回路基板はハウジングよりも長い長さを有し、回路基板の二つの対向する接合端縁部は二つの回路カード接合部を設けるためにハウジングの本体部を貫通して延び、ハウジングの一端部は回路基板の接合端縁部の一方に渡って延びて高速ケーブル装置のケーブルプラグまたはジャック型端部を収容する収容部を形成し、一方の回路基板の接合端縁部はケーブルプラグまたはジャック型端部を回路基板の接合端縁部に対して方向決めする手段を有している。
【０００７】
また、本発明のさらにもう一つの目的は、エッジカード接合を使用する改良されたギガビット相互接合モジュールを提供することにある。相互接合モジュールは、ハウジングを貫通して延びその接合端縁部を突出して、相互接合を通過する信号の電気特性を最適化する回路基板を有しており、回路基板の第一の接合端縁部は、高速ケーブル装置の端部を収容するためにハウジングの延長部によって形成される収容部内に収容され、回路基板の第二の接合端縁部はブレード部として機能を果たす。
【０００８】
また、本発明のさらにもう一つの目的は、高速ケーブル装置に接続される改良された端部構造を有するケーブル用コネクタを提供することにある。インタフェースコネクタは、回路基板に形成されたスロット内への挿抜を容易にすることができるハウジングを有し、ハウジングは長手方向に延びる中空内側部を有し、複数の回路配線が配置された回路基板は、幾つかの能動および／または受動部品を含む構成とすることが可能であって、第一および第二の両端部を有する。回路基板の第一および第二の接合端縁部はハウジングの対応する第一および第二の端部の開口部を貫通してハウジングの端面を超えて突出し、第一および第二の回路基板の接合端縁部の少なくとも一方はハウジングの延長部によって少なくとも一部分が包囲され、ハウジングの延長部はジャック形状の相手方コネクタが収容可能となっている。
【０００９】
【課題を解決するための手段】
本発明は、新規であり独特な構造によりこれらの他の目的を達成するものである。即ち、請求項１の本発明は、本体部を有し、該本体部は別個の第一および第二の端部を有するハウジングと、該ハウジングの内側中空部に配置される回路基板であって、ケーブル装置および電子装置とそれぞれ接合する第一および第二の接合端縁部を有しており、第一および第二の接合端縁部のそれぞれが前記第一および第二の端部で予め設定された距離で前記本体部を超えて延びるように前記本体部よりも長い長さを有する回路基板で構成され、前記ハウジングは、第一の端部に配置された延長部を有し、該延長部は、前記回路基板の第一の接合端縁部の少なくとも一部分を包囲して、前記ケーブル装置のケーブルプラグが収容可能な中空内側部を規定していると共に、前記第一の接合端縁部に端縁まで延びるスロットが形成され、該スロットが第一の接合端縁部を前記中空内側部へ配置する際のガイドを成し、かつ、中空内側部へ前記ケーブルプラグを収容する際の案内を成すようにしたことを特徴とするインタフェースコネクタである。
【００１０】
また、請求項１０の本発明は、別個の第一および第二の端部を有するハウジングと、第一および第二の接合端縁部を有し、各該第一および第二の接合端縁部がその上に少なくとも一つの回路パッドを有する回路基板で構成され、前記ハウジングは、前記第一および第二の端部間で予め設定された第一の長さを有し、前記回路基板は、前記第一および第二の接合端縁部間で予め設定された第二の長さを有し、前記回路基板は前記ハウジング内に収容されて、前記回路基板の第一および第二の接合端縁部は、前記第一および第二の端部と対向する相手方コネクタによって係合可能なように前記ハウジングの第一および第二の端部を超えて延びていると共に、前記回路基板の第一の接合端縁部に端縁まで延びるスロットが形成され、該スロットが第一の接合端縁部の配置のためのガイドを成し、かつ、前記相手方コネクタの係合の案内を成すようにしたことを特徴とする、二つの対向するコネクタ間で接続を行うインタフェースコネクタである。
【００１１】
更に、請求項１９の本発明は、所定長さの本体部を有するハウジングであって、前記本体部は対向する第一および第二の端部を有し、該第一および第二の端部はそこに配置される各第一および第二の開口部を有するハウジングと、前記本体部の長さ方向で延びる回路基板であって、第一および第二の対向する相手方コネクタと接合するためにそれぞれが前記第一および第二の開口部を貫通して、予め設定された第一および第二の範囲で前記第一および第二の端部を超えて延びる第一および第二の接合端縁部を有し、そこに形成されるスロットを有し、該スロットは前記本体部の第一の端部に近接して配置される対向するポスト部材に係合し、該ポスト部材により前記回路基板の第一の接合端縁部が前記本体部の第一の端部を超えて突出する範囲が固定され、そして、スロットが相手方コネクタの係合の案内も成すようにした回路基板で構成されるコネクタである。
【００１２】
本発明のインタフェースコネクタは、回路基板を収容する細長い内側中空部を有するハウジングで構成されることができる。先行技術の構造とは異なり、回路基板は、パッドが上に配置された第一および第二の対向する接合端縁部を有している。回路基板の接合端縁部はそれぞれ、好ましくはハウジングの幅方向に延びる端縁を有する平面部を有している。ハウジングの後方の端部（第二の端部）において、回路基板の第二の接合端縁部は、別の回路基板または電子装置の雌型コネクタと接合するために、ハウジングから外向きに突出して雄型プラグまたはブレード部を規定している。
【００１３】
ハウジングの前方の端部（第一の端部）において、回路基板の第一の接合端縁部もハウジングから外向きに突出している。ハウジングは、ケーブルプラグまたはジャック型端部の収容部を規定するためにハウジングの端部と一体に形成されることができる延長部を有する構成とすることができ、収容部はＨＳＳＤＣケーブル装置等の高速ケーブル装置のケーブルプラグまたはジャック型端部を収容可能となっている。ハウジングの延長部は、高速ケーブル装置のケーブルプラグまたはジャック型端部のラッチ部材を収容して係合可能なように構成することができる。ハウジングの開口部は、「ブラインド」方法であってもケーブルプラグまたはジャック型端部を回路基板の接合端縁部との係合方向に容易に挿入可能なものである。
【００１４】
本発明の実施例において、少なくとも一つの回路基板の接合端縁部に一つ以上のスロットが好ましくは回路基板上の導体パターンの両側から離れて形成される構成とすることができる。これらのスロットは、高速ケーブル装置のケーブルプラグまたはジャック型端部または他のコネクタのプラグ端のアライメントおよび接合を容易にするガイドまたは「リードイン（先端）」として機能する。これらのスロットは、ブラインド接続のために回路基板に対して相手方コネクタを方向決めするのを助けるばかりではなく、回路基板の接合端縁部の内部構造に対して方向決めするのを助けるものである。
【００１５】
本発明の別の実施例において、ハウジングの延長部は、インタフェースコネクタの組立を簡略化して組立に必要な時間を減らすためにともに一体に形成されている。この延長部は、回路基板の接合端縁部の界面領域を略包囲するシールドとして機能を果たす。この構成の変形例において、回路基板の接合端縁部の幅全体を包囲するシェルを設ける構成とすることができる。この実施例の回路基板には、回路基板の接合端縁部に別個の係合部を規定する複数のスロットが設けられている。各スロットは別体のケーブルプラグに係合する。スロットは、各ケーブルプラグを所定の位置に整列させるのを助け、同様にシェルにも「一群」のケーブルを収容するために相手方コネクタの係合部と整列される一連の通路が形成されている。
本発明の他の目的、特徴、利点は、添付の図面を参照して説明する以下の詳細な説明より明白となるであろう。
【００１６】
【発明の実施の形態】
図１には、先行技術において知られている形式のインタフェースコネクタまたは相互接続装置２０が示されている。一般に、インタフェースコネクタ２０は、（図示しない）ケーブルと（また図示しない）もう一つのコネクタ装置との間で接続を行うために使用されている。インタフェースコネクタ２０は、それ自体が回路基板２２に取り付けられる枠組み２３により回路基板２２上に支持される構成とすることができる。枠組み２３は、前端２４と、前端２４から後ろ向きに延びてその間に開口間隙２６を規定している一対の横レール部材２５を有している。枠組み２３の前端２４は、インタフェースコネクタ２０が枠組み２３内にその前端２４を通して挿入された時に、インタフェースコネクタ２０の付勢を受けて上向きに回動することができるドア部２７を有する構成とすることができる。さらに図示したように、枠組み２３は、枠組み２３のカバーとしての機能を果たすシールド部材２９を有する構成とすることができる。シールド部材２９は、横レール部材２５のスロット３２に形成されたショルダ３１に係合可能な横クリップ３０を有する構成とすることができる。さらに、シールド部材２９は、回路基板２２に形成された対応する開口部３５内に下に延びる接地クリップ３３を有する構成とすることができる。開口部３５は、枠組み２３に形成されたポスト３７を収容する回路基板２２の他の開口部３６間に配置されている。
【００１７】
インタフェースコネクタ２０は、支持枠組み２３の前端２４内に簡単に挿入されるように組み立てられている。この点において、インタフェースコネクタ２０は、ピンコネクタ部４２を包囲するシールド板４１を有する別体の前端部４０を有している。前端部４０をインタフェースコネクタ２０の本体部４４に取り付けるために、ナット４３が使用されている。本体部４４は後ろ向きに延び、ネジ４６または他の係止手段によりともに保持される上側および下側ハーフ部を有する構成とすることができる。一組のリテーナ４７は、本体部４４の両側に沿って長手方向に延び、枠組み２３の横レール部材２５の内側面に形成された同様のランナ２８に沿って係合して摺動するランナ部４８を有している。リテーナ４７は、枠組み２３の対応する連関された開口部３８に係合可能な部分５１を有する、インタフェースコネクタ２０の前端部４０を超えて部分的に延びる自由端５０を有している。インタフェースコネクタ２０を挿入して支持枠組み２３に確実に係合するために、ユーザがこれらの自由端５０を把持して内向きに押すことができる。同様に、開口部３８との係合からリテーナ４７を解放するために自由端５０を把持して押すことができる。
【００１８】
インタフェースコネクタ２０は、その他端または後端５５にそこから突出する回路カード端縁５６を有している。一般に、この回路カード端縁５６は、回路カード端縁５６とピンコネクタ部４２との間で接続を行うために、回路カード端縁５６に半田付けされるピンコネクタ部４２からの導線を有しており、回路カード端縁５６とピンコネクタ部４２間に幾つかの能動および／または受動部品を収容する構成とすることができる。この形式のインタフェースコネクタ２０では、回路カード端縁５６がピンコネクタ部４２と連関される（図示しない）一連の導線に接続されることが必要とされる。この接続には余計な労力と、製造するのに比較的費用のかかる特別な部品の在庫が必要となる。さらに、ピンコネクタ部４２には、ピンコネクタ部４２と特別に形成される相手方ピンコネクタに適用される別体のシールド部材が必要である。さらに、インタフェースコネクタ２０の導線を回路カード端縁５６の配線に半田付けしなければならない。これらの半田接合は必ずしも確実な接合とは限らない可能性があり、不連続およびコネクタ−回路基板インタフェースを通過する信号内への他の干渉をもたらす可能性がある。
【００１９】
本発明は、インタフェースコネクタの前端のアライメントおよび相手方コネクタを係合方向に向ける一体化手段を有する、より非常に簡単な構造の改良されたインタフェースコネクタに関するものである。本質的に、このようなインタフェースコネクタは、その接続に関して半田なし接続のものであって、図２において符号６０で示されている。インタフェースコネクタ６０は、対向している第一、第二の端部６３、６４が本体部６５によって相互接合されている細長いハウジング６２で構成されているのが分かる。ハウジング６２は、不導電性材料および好ましくは絶縁性材料で形成される構成とすることができ、さらに内側中空部を有している。また、ハウジング６２は、シールドのために導電性材料で形成される構成とすることができる。ハウジング６２の内側中空部は、ハウジング６２の対向する各第一および第二の端部６３、６４で露出される対向する第一および第二の接合端縁部７１、７２を有する回路基板７０を収容する。インタフェースコネクタ６０は、本体部６５の長手方向に延び、自由端６８で終端となっている細長いリテーナアーム部材６７として示されている一対のリテーナを有する構成とすることができる。リテーナアーム部材６７は、図１において回路基板２２上の支持枠組み２３内の２８で示したようなランナに乗り上げるように形成された下側摺動面を有する構成とすることができる。最も多くの共通用途において、インタフェースコネクタ６０は、図８において参照符号８０で示したような高速ケーブル装置と、例えば（図示しない）電気通信接続ヘッダのバンクとの間で接続を行うために使用される。
【００２０】
インタフェースコネクタ６０のハウジング６２は、ここではプラスチック等の絶縁性材料で形成され、ネジ９２または他の係止具によりともに係止することができる上側および下側ハーフ部９０、９１に成形することによって都合良く形成される構成とすることができる。同様に、ハウジング６２は、後面９４（図３）が回路基板７０の第二の接合端縁部７２が貫通するように形成された開口部９５を有している一つの中空部材として形成される構成とすることができる。また、リテーナアーム部材６７の自由端６８は、図１の枠組み２３または他の回路基板構造等の支持部材からのインタフェースコネクタ６０の挿抜時に、ユーザによるリテーナアーム部材６７の把持を容易にする型押把持部６６を有する構成とすることができる。
【００２１】
ハウジング６２の第一の端部６３は、高速ケーブル装置８０のケーブル８１に接続されたケーブルプラグまたはジャック型端部８３を収容可能となっている。そして、回路基板７０は、特にその第二の接合端縁部７２が、ハウジング６２の本体部６５を貫通して、第二の端部６４の後面９４を十分超える範囲まで延びる長さを有している。ハウジング６２の第二の端部６４に形成された開口部９５は、この第二の接合端縁部７２が貫通する通路として機能している。回路基板７０の第一の接合端縁部７１は同様に、本体部６５の前面９６を超えて延びて第一の端部６３から突出する。従って、ハウジング６２の各端部６３、６４は、回路基板７０の第一、第二の接合端縁部７１、７２の形状でともに連関される雄型「ブレード」部を有している。実際において、各接合端縁部７１、７２は、エッジカード係合技術を使用して相手方コネクタによって係合される構成とすることができる小型エッジカード部であって、これにより完全な半田なし接合コネクタとなる。
【００２２】
本発明のこの構成は、図４と、図９の実施例に関連する図５乃至図７において最も良く示されている。図４において回路基板７０が平面図で示されており、回路基板７０は、第一および第二の接合端縁部７１、７２間で延びる細長い中間部７４を有している。回路基板７０の第一および第二の接合端縁部７１、７２は、コネクタ用語で「雄型」であって、一般にカード収容スロットを有する相手方コネクタの部材によって係合されるため、接合端縁部７１、７２は、図４および５において７５および７６で示したように傾斜または面取りされた究極的端縁を有する構成とすることができる。回路基板７０は、種々の銅または他の導電性配線と接地面層を含む層が適用される従来の層構造を有する構成とすることができる。多くの場合において、回路基板７０は、複数の回路配線またはパッド７９を有し、その表面上に接合端縁部７１、７２と連関して配置される能動および／または受動部品を含む構成とすることができ、１０本のパッド７９が図４の左の方の第二の接合端縁部７２に図示されており、４本のパッド７９が図４の右の方の第一の接合端縁部７１に図示されている。
【００２３】
回路基板７０の第一の接合端縁部７１は、一つ以上のスロット７７を有する構成とすることができ、この構造は二つの目的に役立つものである。第一に、図９に示したようにハウジング６２の本体部６５の第一の端部６３に取り付けた延長アダプタ部１１０内に回路基板７０をガイドして配置する機能を果たす。第二に、相手方コネクタを延長アダプタ部１１０内に、回路基板７０の第一の接合端縁部７１との係合方向へ極性をもたせるかまたは案内する手段として機能を果たす。
【００２４】
延長アダプタ部１１０は、絶縁性材料で形成され、図５乃至図７に示したように予め設定されている長さで延びる支持ベースまたはベッド１１１を有している。本実施例において、延長アダプタ部１１０は、ハウジング６２の第一の端部６３に取り付けられる別体のアダプタの形状となっている。延長アダプタ部１１０の支持ベース１１１は、回路基板７０の一部分を収容し、この点において支持ベース１１１は図７に最もよく示したように後ろ向きに延びており、両側に設けられた一対のショルダ１１３（図６Ａ）は、回路基板７０を収容する水平スロット１１４を規定するために支持ベース１１１から離間している。回路基板７０は、延長アダプタ部１１０内の適所に固定できるように、リベット１１５または他の係止具を収容できるように形成された開口部７８（図４）を有する構成とすることができる。この点において、支持ベース１１１は、リベット１１５または他の係止具を収容できるように形成された孔を有する構成とすることができる。また、延長アダプタ部１１０は、支持ベース１１１に対して略垂直に延びるプレート部材１１２（図６Ｂ、７）によって規定される前側接合面１０９を有しており、前側接合面１０９は、図９に示したように延長アダプタ部１１０をハウジング６２の第一の端部６３に取り付けるネジ１１７または他の係止具を収容するように形成された一つ以上の開口部１１６を有している。
【００２５】
延長アダプタ部１１０はプレート部材１１２から前向きに突出しているため、「延長」と称される。突出部は、中空内側部１１９（図６Ｂ）を有する収容端１１８を形成している。回路基板７０の第一の接合端縁部７１が収容端１１８で包囲されるように、延長アダプタ部１１０は十分な長さで突出して回路基板７０の第一の接合端縁部７１を包囲し、図６Ｂに図示したように、延長アダプタ部１１０は回路基板７０の第一の接合端縁部７１の四つの全ての側面において第一の接合端縁部７１から離間している。これにより、収容端１１８内へのケーブルプラグまたはジャック型端部８３の挿入が可能となっている。中空内側部１１９は、対応する高速ケーブル装置８０のケーブルプラグまたはジャック型端部８３を収容するために、図６Ｂに示したように特別に形成される構成とすることができる。図６Ｂに示した形状は、中空内側部１１９と連通する台形通路１２０を有している。この台形通路１２０により、インタフェースコネクタ６０に対するケーブルプラグまたはジャック型端部８３の配置を容易にすることができ、また極性要素として機能を果たす。
【００２６】
図８に最も良く示したように、一般に、高速ケーブル装置８０のケーブルプラグまたはジャック型端部８３は、インタフェースコネクタ６０の収容端１１８に対向する係合面８２を有している。（図示しない）回路カードまたはエッジカードスロットが、インタフェースコネクタ６０の回路基板７０の第一の接合端縁部７１と整列するようにこの係合面８２に配置されている。高速ケーブル装置８０は、インタフェースコネクタ６０との係合方向で適所に高速ケーブル装置８０を保持するためにともに連関されたラッチ部材８６を有する構成とすることができ、このようなラッチ部材８６はケーブルプラグまたはジャック型端部８３の外側に形成されることが好ましい。図示したように、このラッチ部材８６はケーブルプラグまたはジャック型端部８３から上向きに突出する操作可能な係合ヘッド８４を有しており、係合ヘッド８４は、容易に押し下げることができかつ押し下げ力が解除された時に上向きにそるように片持ち式に形成される構成とすることができる。ケーブルプラグまたはジャック型端部８３が中空内側部１１９内に挿入されると、係合ヘッド８４は、ハウジング６２と一体に形成される構成とすることができる図８の実施例の延長部１１０ａに形成されたラッチ開口部１２２内に収容される。ラッチ開口部１２２は、回路基板７０を適所に挿入するために分割したハウジング６２の上側および下側ハーフ部９０、９１の一つに形成される。このラッチ開口部１２２は、収容端１１８の中空内側部１１９内へのケーブルプラグまたはジャック型端部８３の挿入時に係合ヘッド８４が係合可能なように、収容端１１８の中空内側部１１９と連通している。ラッチ開口部１２２は、本体部６５の方を向き、ラッチ部材８６、特に衝合要領で接触するために係合ヘッド８４のショルダに対して係止面またはショルダを形成する面または端縁１２５を有する構成とすることができる。
【００２７】
図４乃至図７に戻って説明すると、回路基板７０は、第一の接合端縁部７１に形成される方向決めのスロット７７を有する構成とすることができる。このスロット７７は、回路基板７０の第一の接合端縁部７１とその究極的端縁７５を収容端１１８の中空内側部１１９内で特定な向きに向けるように、延長アダプタ部１１０の固定部分に係合する。本実施例において、延長アダプタ部１１０には、支持ベース１１１および／または回路基板７０の平面に対して略垂直に直立して延びるポスト１３０または他の同様の部材が設けられている。このポスト１３０は、回路基板７０が延長アダプタ部１１０の後側から支持ベース１１１に形成された水平スロット１１４内に挿入される時に、回路基板７０の長手方向の運動を係止するものである。これは、中空内側部１１９で回路基板７０の第一の接合端縁部７１を固定するものである（図５および図７）。水平スロット１１４とリベット１１５は、中空内側部１１９内で回路基板７０の第一の接合端縁部７１の水平な向きを固定する構成とすることができる。
【００２８】
図１０および図１０Ａにはハウジング６２とは別体の延長部１１０ｂが示されており、延長部１１０ｂがネジ等によりハウジング６２の第一の端部６３に取り付けられる中実のシェル状部材として形成されている。この形式の延長部１１０ｂは、図９および図５のアダプタ形式の延長部よりもより平らな前面１３２を有しており、図２と図３と図８に示したようにハウジング６２と一体となっているものと対照をなすものである。この形式の延長部１１０ｂはそこに形成された中空内側部１１９を有しており（図１０Ａ）、上側部分にケーブルプラグまたはジャック型端部８３のラッチ部材８６を収容する極性形状のノッチ１３４が形成されている。さらに、このノッチ１３４は、ラッチ部材８６の係合ヘッド８４に係合する溝１３５を有する構成とすることができる。
【００２９】
最後に、図１１には、複数のケーブルプラグまたはジャック型端部８３を収容するために、本発明の構造が回路基板に適用されているのが示されている。この実施例において、回路基板２００は、その上に形成された複数の係合端縁部２０２を有しており、各係合端縁部２０２はそこに形成される一つ以上の方向決めのスロット２０４によって規定されている。シェルまたは延長部材２０７は、ブラケット２０６とネジ２０８を介して回路基板２００に取り付けられている。シェルまたは延長部材２０７は、上述した要領で（図示しない）相手方コネクタのラッチ部材を収容可能なように形成される複数の通路２０９を有している。通路２０９の開口部２１０は、ラッチ部材を収容して、相手方コネクタを適所で保持するものである。
【００３０】
本発明はインタフェース用途に使用される半田なしコネクタを提供するものであることは理解されるであろう。回路基板は、エッジカード技術を使用して相手方コネクタと容易に接合される構成とすることができる二つの雄型コネクタ面を設けるために、インタフェースコネクタの両端部に延びている。半田接続を除外することにより、信号破壊および干渉の可能性が減少される。インタフェースコネクタの延長部は金属で形成される別体のダイカストである構成とすることができ、回路基板の接合端縁部で接続を完全に包囲するために向上されたシールド能力を付与することができる延長部を設けるように、一体化された延長部およびハウジングも鋳造される構成とすることができる。
【図面の簡単な説明】
【図１】  インタフェースコネクタを回路基板に用いるために使用される従来の構成を示す、公知のＧＢＩＣの分解斜視図である。
【図２】  本発明により構成された一つの実施例によるインタフェースコネクタの斜視図である。
【図３】  図１のインタフェースコネクタの他端部から見た斜視図である。
【図４】  接合端縁部が対向する端部に形成されている、図２のインタフェースコネクタに使用される回路基板の平面図である。
【図５】  図９に示した形式のインタフェースコネクタに使用される延長アダプタ部内の適所に挿入された、図４の回路基板の平面図である。
【図６Ａ】  延長アダプタ部内で保持された回路基板を示す、図５の６Ａ−６Ａ線断面図である。
【図６Ｂ】  延長アダプタ部のジャック端開口部を示す、図５の６Ｂ−６Ｂ線端面図である。
【図７】  延長アダプタ部に対する回路基板の位置を示す、図５の７−７線断面図である。
【図８】  延長部がハウジングの本体部の一部として一体に形成されており、高速ケーブル装置が対向している、本発明により構成されたもう一つの実施例によるインタフェースコネクタの斜視図である。
【図９】  別体の延長アダプタ部が図５の回路基板に使用されている、本発明により構成されたインタフェースコネクタの斜視図である。
【図１０】  ハウジングの一端部に用いられる別体の引抜シェルを示す、本発明により構成されたもう一つのインタフェースコネクタの斜視図である。
【図１０Ａ】  図１０のインタフェースコネクタの第一の端部の延長部を示す１０Ａ−１０Ａ線部分断面図である。
【図１１】  回路基板の接合端縁部に沿って形成される係合端部に対応して多数の通路を設けるために、回路基板に取り付けられたシェルの斜視図である。
【符号の説明】
６０          インタフェースコネクタ
６２          ハウジング
６３          第一の端部
６４          第二の端部
６５          本体部
７０          回路基板
７１          第一の接合端縁部
７２          第二の接合端縁部
７４          中間部
７５          端縁
７６          端縁
７７          スロット
７８          開口部
７９          パッド
８０          高速ケーブル装置
８１          ケーブル
８２          係合面
８３          ケーブルプラグまたはジャック型端部
８４          係合ヘッド
８６          ラッチ部材
９０          上側ハーフ部
９１          下側ハーフ部
１１０        延長アダプタ部
１１０ａ      延長部
１１０ｂ      延長部
１１１        支持ベースまたはベッド
１１２        プレート部材
１１３        ショルダ
１１４        水平スロット
１１５        リベット
１１６        開口部
１１８        収容端
１１９        中空内側部
１２０        台形通路
１２２        ラッチ開口部
１２５        端縁
１３０        ポスト
２００        回路基板
２０２        係合端縁部
２０４        スロット
２０７        シェルまたは延長部材
２０９        通路
２１０        開口部
【図１】
0003690291.tif 000002
【図２】
0003690291.tif 000003
【図３】
0003690291.tif 000004
【図４】
0003690291.tif 000005
【図５】
0003690291.tif 000006
【図６Ａ】
0003690291.tif 000007
【図６Ｂ】
0003690291.tif 000008
【図７】
0003690291.tif 000009
【図８】
0003690291.tif 000010
【図９】
0003690291.tif 000011
【図１０】
0003690291.tif 000012
【図１０Ａ】
0003690291.tif 000013
【図１１】
0003690291.tif 000014